(57)【要約】【課題】点検作業時に作業指示者と手動運転する作業者が共に視覚と聴覚の両方で確認ができるエレベータの安全装置を得る。【解決手段】昇降路１内を昇降するかご２と、かごの上部に設けられ、かご上作業員が点検作業時に操作する緑色に識別表示された昇り方向運転釦１０ａ及び赤色に識別表示された降り方向運転釦１０ｂを有するかご上操作盤１０と、かごの昇降の邪魔にならないように昇降路全長に亘って垂直に吊り下げられ、下端部が昇降路ピットに位置するように配置された少なくとも１本の光ファイバー１２と、昇降路ピットに設けられ、点検作業の指示者であるピット内作業員が点検作業時に操作して光ファイバーの下端部から上端部に向けて昇り方向運転釦と同色の緑色の光又は降り方向運転釦と同色の赤色の光を切り換え可能に照射する保守点検用照射装置１３とを備える。【選択図】図１
2015147634.tif 000002
【特許請求の範囲】
【請求項１】
昇降路内を昇降するかごと、
前記かごの上部に設けられ、かご上作業員が点検作業時に操作する緑色に識別表示された昇り方向運転釦及び赤色に識別表示された降り方向運転釦を有するかご上操作盤と、
前記かごの昇降の邪魔にならないように前記昇降路全長に亘って垂直に吊り下げられ、下端部が昇降路ピットに位置するように配置された少なくとも１本の光ファイバーと、
前記昇降路ピットに設けられ、点検作業の指示者であるピット内作業員が点検作業時に操作して前記光ファイバーの下端部から上端部に向けて前記昇り方向運転釦と同色の緑色の光又は前記降り方向運転釦と同色の赤色の光を切り換え可能に照射する保守点検用照射装置と、
を備えたことを特徴とするエレベータの安全装置。
【請求項２】
保守点検用照射装置は、緑色ＬＥＤと、赤色ＬＥＤと、前記緑色ＬＥＤの光又は赤色ＬＥＤの光を光ファイバーの下端部から入射させる照射部と、前記緑色ＬＥＤの光又は赤色ＬＥＤの光のいずれか一方に切り換え可能な操作スイッチとを備えたことを特徴とする請求項１記載のエレベータの安全装置。
【請求項３】
保守点検用照射装置は、点検作業の指示者であるピット内作業員が携帯することを特徴とする請求項２記載のエレベータの安全装置。
【請求項４】
点検作業時に、かごドアの戸当たり面側に保守点検用反射板を着脱自在に挟み込み、前記保守点検用反射板を介してかご内からかご内作業員が光ファイバーに照射される光の色を識別できるようにしたことを特徴とする請求項１〜請求項３のいずれか１項に記載のエレベータの安全装置。
【請求項５】
光ファイバーの一部を途中から分岐させ、かごの底部と主制御装置との間を接続する制御ケーブルに一緒に束ね、分岐した光ファイバーの先端部をかご内に臨ませ、かご内作業員が分岐した光ファイバーから照射される光の色を識別できるようにしたことを特徴とする請求項１〜請求項３のいずれか１項に記載のエレベータの安全装置。
【発明の詳細な説明】
【技術分野】
【０００１】
この発明は、エレベータの安全装置に係り、特に点検作業時におけるピット内の作業員とかご上の作業員の安全を確保するものである。
【背景技術】
【０００２】
従来、エレベータの点検作業では、ピット内にいる作業員が指示者となり、かご上又はかご内にいる作業員に声を掛けることで手動運転の指示を与えている。しかし、ピット内とかご上又はかご内の間では距離があるため、騒音等が入ったりすると、声も届きにくいことがあった。その為、聞き間違いや、言い間違い等が発生する恐れがあった。
また、エレベータの点検作業では、かご上操作盤の昇り方向運転釦は緑色の識別表示、降り方向運転釦は赤色の識別表示に予め決められているので、点検作業をする作業員にとって、昇り方向運転が緑色で、降り方向運転が赤色であるという識別イメージは、常日頃から馴れ親しんでいる識別感覚であると言える。
【０００３】
また、従来技術として、展望用エレベータの昇降路内に少なくとも１本の筒体を立設し、この筒体内にレーザ光を照射するレーザ光発射装置とを設けた展望用エレベータが知られている（例えば、特許文献１参照）。また、他の従来技術として、光ファイバーケーブルからなる光伝送手段を用いたエレベータドアの安全装置が知られている（例えば、特許文献２参照）。
【先行技術文献】
【特許文献】
【０００４】
【特許文献１】実開平７−１２３７４号公報
【特許文献２】特開２０１０−２６９９２８号公報
【発明の概要】
【発明が解決しようとする課題】
【０００５】
特許文献１に記載のものは、昇降路の外観を良くして意匠性を向上させるものであるが、点検作業時の作業員の安全性について考慮されたものではない。また、特許文献２に記載のものは、エレベータドアの安全装置であるが、点検作業時の作業員の安全性について考慮されたものではない。
【０００６】
この発明は、上述のような課題を解決するためになされたもので、点検作業時に作業指示者と手動運転する作業者が共に視覚と聴覚の両方で確認ができるエレベータの安全装置を提供するものである。
【課題を解決するための手段】
【０００７】
この発明に係るエレベータの安全装置においては、昇降路内を昇降するかごと、かごの上部に設けられ、かご上作業員が点検作業時に操作する緑色に識別表示された昇り方向運転釦及び赤色に識別表示された降り方向運転釦を有するかご上操作盤と、かごの昇降の邪魔にならないように昇降路全長に亘って垂直に吊り下げられ、下端部が昇降路ピットに位置するように配置された少なくとも１本の光ファイバーと、昇降路ピットに設けられ、点検作業の指示者であるピット内作業員が点検作業時に操作して光ファイバーの下端部から上端部に向けて昇り方向運転釦と同色の緑色の光又は降り方向運転釦と同色の赤色の光を切り換え可能に照射する保守点検用照射装置とを備えたものである。
【０００８】
また、保守点検用照射装置は、緑色ＬＥＤと、赤色ＬＥＤと、緑色ＬＥＤの光又は赤色ＬＥＤの光を光ファイバーの下端部から入射させる照射部と、緑色ＬＥＤの光又は赤色ＬＥＤの光のいずれか一方に切り換え可能な操作スイッチとを備えたものである。
【０００９】
また、保守点検用照射装置は、点検作業の指示者であるピット内作業員が携帯するものである。
【００１０】
また、点検作業時に、かごドアの戸当たり面側に保守点検用反射板を着脱自在に挟み込み、保守点検用反射板を介してかご内からかご内作業員が光ファイバーに照射される光の色を識別できるようにしたものである。
【００１１】
また、光ファイバーの一部を途中から分岐させ、かごの底部と主制御装置との間を接続する制御ケーブルに一緒に束ね、分岐した光ファイバーの先端部をかご内に臨ませ、かご内作業員が分岐した光ファイバーから照射される光の色を識別できるようにしたものである。
【発明の効果】
【００１２】
この発明によれば、従来の声掛けによる指示と併せることにより、点検作業の指示者と手動運転の作業者が共に視覚と聴覚の両方で確認ができるので、人為的なミスを回避することができる。
【図面の簡単な説明】
【００１３】
【図１】この発明の実施例１におけるエレベータの安全装置の構成を示す側面図である。
【図２】この発明の実施例１におけるエレベータの安全装置に使用される光ファイバーの構成を示す横断面図である。
【図３】この発明の実施例１におけるエレベータの安全装置に使用される光ファイバーの構成を示す縦断面図である。
【図４】この発明の実施例１におけるエレベータの安全装置に使用される保守点検用光照射装置の構成を示す側面図である。
【図５】保守点検用光照射装置の他の変形例を示す側面図である。
【図６】この発明の実施例２におけるエレベータの安全装置の構成を示す昇降路の平面図である。
【図７】この発明の実施例２におけるエレベータの安全装置に使用される保守点検用反射板の変形例を示す平面図である。
【図８】保守点検用反射板の横断面図である。
【発明を実施するための形態】
【００１４】
実施例１.
図１はこの発明の実施例１におけるエレベータの安全装置の構成を示す側面図、図２、図３は光ファイバーの構成を示す横断面図及び縦断面図、図４は保守点検用光照射装置の構成を示す側面図、図５は保守点検用光照射装置の他の変形例を示す側面図である。
【００１５】
図１〜図５において、１は昇降路、２は昇降路１内を昇降するエレベータのかご、３は昇降路１内を昇降するつり合いおもり、４は昇降路１上部の機械室等に設置された巻上機、５は巻上機４に巻き掛けられた主索で、両端部にかご２及びつり合いおもり３が接続されて昇降路１内に吊り下げられている。６は昇降路１上部の機械室等に設置されたエレベータの主制御装置、７はかご２の底部と主制御装置６との間を接続する制御ケーブル、８は各階の乗場に設置された乗場呼び釦で、昇り呼び釦８ａと降り呼び釦８ｂを備えている。９はかご２内に設置されたかご内操作盤、１０はかご上に設置されたかご上制御装置１１を介して用いられるかご上操作盤で、かご上作業員が点検作業時に持つものであり、昇り方向運転釦１０ａと降り方向運転釦１０ｂを備えている。なお、上記かご上操作盤１０は、昇り方向運転釦１０ａが緑色の識別表示で、降り方向運転釦１０ｂが赤色の識別表示であるように予め決められているので、点検作業をする作業員にとって、昇り方向運転が緑色で、降り方向運転が赤色であるという識別イメージは、常日頃から馴れ親しんでいる識別感覚であると言える。１２は昇降路１の頂部に上端部が固定され、かご２及びつり合いおもり３の昇降の邪魔にならないように昇降路全長に亘り垂直に吊り下げられた少なくとも１本の光ファイバーで、その下端部は昇降路ピットに位置している。この光ファイバー１２は、例えば、図２に示すように、石英ガラスとゲルマニュウムなどからなるコア１２ａと、コア１２ａの外周に設けられた石英ガラスからなる円筒状のクラッド１２ｂと、このクラッド１２ｂの外周を保護する樹脂被覆１２ｃとから構成されており、図３に示すように、光ファイバー１２の一端から入射光が入ると、光信号はクラッド１２ｂとコア１２ａの境界面を反射して進み、光ファイバー１２の他端から透過光となって出ていく。１３は点検作業時に昇降路ピット内に入る作業員（指示者）が携帯する保守点検用光照射装置である。この保守点検用光照射装置１３は、例えば、図４に示すように、内部に緑色ＬＥＤ１４と、赤色ＬＥＤ１５が収納され、上部には上記光ファイバー１２の下端部を収容するために上端部を開口させた円筒状の筒体からなる照射部１６が設けられており、上記緑色ＬＥＤ１４の光又は赤色ＬＥＤ１５の光を筒体（照射部）１６に入射できるように構成されている。そして、昇降路ピット内にいる作業員（指示者）が操作スイッチ１７を切り換え操作することにより、緑色ＬＥＤ１４の光又は赤色ＬＥＤ１５の光のいずれか一方を筒体（照射部）１６に入射させ、点検作業をするかご上作業員（作業者）にとって、常日頃から馴れ親しんでいる識別感覚であるところの、昇り方向運転が緑色で、降り方向運転が赤色であるという識別イメージを、光ファイバー１２を介して昇降路全長に亘って視覚的に知らせることができる。これにより、かご上の作業員（作業者）は、ピット内の作業者（指示者）からの昇り方向運転（緑色）、降り方向運転（赤色）の指示を容易に認識して手動運転することができる。したがって、従来の声掛けによる指示と併せることにより、指示者と作業者が共に視覚と聴覚の両方で確認ができるので、人為的なミスを回避することができる。なお、緑色ＬＥＤ１４の光及び赤色ＬＥＤ１５の光を止めたい場合（手動運転を停止する場合）は、保守点検用光照射装置１３の筒体１６から光ファイバー１２の下端部を抜くか、操作スイッチ１７をオン位置からオフ位置にすれば良い。また、図５は保守点検用光照射装置１３の他の変形例を示すものであり、緑色ＬＥＤ１４と、赤色ＬＥＤ１５を仕切板１８によって区画して内部に収納するとともに、上部には２本の光ファイバー１２のそれぞれの下端部を別々に収容するために上端部を開口させた２本の円筒状筒体１６を設けたものである。そして、仕切板１８によって区画された緑色ＬＥＤ１４の光と赤色ＬＥＤ１５の光を別々の筒体１６に入射できるように構成されている。
なお、上記保守点検用光照射装置１３は、点検作業時に昇降路ピット内に入る作業員（指示者）が携帯するものとしたが、昇降路ピット内に常時備え付けるものであっても構わない。
【００１６】
実施例２.
図６はこの発明の実施例２におけるエレベータの安全装置の構成を示す昇降路の平面図、図７は保守点検用反射板の変形例を示す平面図、図８は保守点検用反射板の横断面図である。
【００１７】
高速運転のエレベータでは、安全のため、エレベータの点検作業をかご上ではなく、かご内で操作する必要がある。この場合、点検作業時にかご内の作業員がかご内操作盤９の点検蓋（図示せず）を開いて、昇り方向運転釦と降り方向運転釦を手動操作するものであるが、その際、昇降路全長に亘り乗場側の一端部に沿って垂直に吊り下げられた少なくとも１本の光ファイバー１２の光色を、かご１内からかご内作業員が見ることができるようにする必要がある。
図６において、１９はかご２の出入口に設けられた両開き式のかごドア、２０はエレベータの点検作業時にかごドア１９の戸当たり面の相互間に着脱自在に挟み込まれる保守点検用反射板で、表面が鏡面仕上げとなっており、かご１内から作業者が昇降路全長に亘って乗場側の一端部に沿って垂直に吊り下げられた光ファイバー１２の光色が見えるように装着されるものである。この保守点検用反射板２０はガラス製であると、破損する恐れがあるので、合成樹脂製であることが望ましい。また、かごドア１９の戸当たり面の相互間に着脱自在に挟み込まれた保守点検用反射板２０が誤って昇降路１側に落下しないように、かご内側の端部を例えばＬ字状に折り曲げてストッパー２０ａを形成しておくと良い。また、図７、図８は保守点検用反射板２０の変形例を示すものであり、平面から見て先端部に行くに従って細くなる楔状とし、かつ横断面形状は中央部を凹ませてコ字状とし、中央凹部の表面を鏡面仕上げとし、装着時に中央凹部の内側の隙間を通して、鏡面に映る昇降路内の光ファイバー１２の光色が見えるようにしている。
【００１８】
実施例３.
光ファイバー１２の光色を、かご１内から作業員が見ることができるようにするために、例えば一端にカメラを、他端にカメラが撮影した映像を表示するディスプレイを備えた光ファイバーケーブル（図示せず）を用意し、エレベータの点検作業時に光ファイバーケーブルをかごドア１９の戸当たり面の相互間に着脱自在に挟み込み、昇降路１側に突出させたカメラにより昇降路内の光ファイバー１２の光色を撮影し、かご１内の映像を表示するディスプレイから見ることができるようにしても良い。
【００１９】
実施例４.
光ファイバー１２の光色を、かご１内から作業員が見ることができるようにするために、昇降路全長に亘り乗場側の一端部に沿って垂直に吊り下げられた光ファイバー１２のうちの少なくとも１本を途中から分岐させ、かご２の底部と主制御装置６との間を接続する制御ケーブル７に一緒に束ね、分岐した光ファイバーの先端部をかご１内に臨ませ、かご内作業員が分岐した光ファイバーから照射される光の色を識別できるように構成しても良い。また、分岐した光ファイバーの先端部をかご１上に臨ませ、かご上作業員が分岐した光ファイバーから照射される光の色を識別できるように構成しても良い。
【符号の説明】
【００２０】
１  昇降路、  ２  かご、  ３  つり合いおもり、  ４  巻上機、  ５  主索、  ６  主制御装置、  ７  制御ケーブル、  ８  乗場呼び釦、  ８ａ  昇り呼び釦、  ８ｂ  降り呼び釦、９  かご内操作盤、  １０  かご上操作盤、  １０ａ  昇り方向運転釦、１０ｂ  降り方向運転釦、  １１  かご上制御装置、  １２  光ファイバー、  １２ａ  コア、  １２ｂ  円筒状のクラッド、  １２ｃ  樹脂被覆、１３  保守点検用光照射装置、  １４  緑色ＬＥＤ、  １５  赤色ＬＥＤ、  １６  円筒状の筒体（照射部）、  １７  操作スイッチ、  １８  仕切板、  １９  かごドア、  ２０  保守点検用反射板、  ２０ａ  ストッパー。
【図１】
2015147634.tif 000003
【図２】
2015147634.tif 000004
【図３】
2015147634.tif 000005
【図４】
2015147634.tif 000006
【図５】
2015147634.tif 000007
【図６】
2015147634.tif 000008
【図７】
2015147634.tif 000009
【図８】
2015147634.tif 000010